(57)【要約】【課題】複数の画像を視覚的に整理することのできる画像表示装置を提供すること。【解決手段】表示用コンテンツの画像データを取得する取得手段１０と、前記表示用コンテンツを嵌め込むための装飾枠の画像データを記憶する枠画像記憶手段１１と、前記表示用コンテンツの属性に対応した属性を有する装飾枠を選択する装飾枠選択手段１２と、前記装飾枠選択手段１２により選択された装飾枠に前記表示用コンテンツを嵌め込んだ表示用画像データを生成する表示画像生成手段１３と、前記表示用画像データに基づいた画像を表示する表示手段１４とを有する画像表示装置であって、前記表示用コンテンツの属性に前記装飾枠の属性を対応させて設定する属性設定手段１６を設けた。【選択図】図１
2008242991.tif 000002
【特許請求の範囲】
【請求項１】
表示用コンテンツの画像データを取得する取得手段と、
前記表示用コンテンツを嵌め込むための装飾枠の画像データを記憶する枠画像記憶手段と、
前記表示用コンテンツの属性に対応した属性を有する装飾枠を選択する装飾枠選択手段と、
前記装飾枠選択手段により選択された装飾枠に前記表示用コンテンツを嵌め込んだ表示用画像データを生成する表示画像生成手段と、
前記表示用画像データに基づいた画像を表示する表示手段と、を有する画像表示装置であって、
前記表示用コンテンツの属性に前記装飾枠の属性を対応させて設定する属性設定手段を備えたことを特徴とする画像表示装置。
【請求項２】
前記装飾枠の属性は、色、形、模様、サイズ、絵柄のうち少なくとも一つの情報である
ことを特徴とする請求項１に記載の画像表示装置。
【請求項３】
前記表示用コンテンツの属性を設定するコンテンツ属性設定手段を有する
ことを特徴とする請求項１又は請求項２に記載の画像表示装置。
【請求項４】
前記装飾枠の属性を選択する枠属性選択手段を有する
ことを特徴とする請求項１〜３のいずれか一項に記載の画像表示装置。
【請求項５】
前記表示手段は、前記装飾枠の属性に応じて、輝度、色相、彩度及びサイズのうち少なくとも一つを調整して前記画像を表示する
ことを特徴とする請求項１〜４のいずれか一項に記載の画像表示装置。
【請求項６】
前記表示画像生成手段は、前記装飾枠の属性に応じて、輝度、色相、彩度及びサイズのうち少なくとも一つを調整した前記表示用画像データを生成する
ことを特徴とする請求項１〜４のいずれか一項に記載の画像表示装置。
【請求項７】
前記取得手段は、前記表示用コンテンツの画像データを複数記憶する記憶装置から前記表示用コンテンツの画像データを、当該表示用コンテンツの属性又は当該表示用コンテンツに対応する装飾枠の属性に応じて順次取得し、
前記装飾枠選択手段は、前記取得手段で取得した前記表示用コンテンツの属性に対応した属性を有する装飾枠を順次選択し、
前記表示画像生成手段は、前記装飾枠選択手段により選択された装飾枠に前記表示用コンテンツを嵌め込んだ表示用画像データを順次生成し、
前記表示手段は、前記表示画像生成手段で生成された前記表示用画像データに基づいた画像を順次表示する
ことを特徴とする請求項１〜６のいずれか一項に記載の画像表示装置。
【請求項８】
前記表示手段は、前記表示用画像データに対応する装飾枠の属性に応じた時間だけ、前記表示用画像データに基づいた画像を表示する
ことを特徴とする請求項７に記載の画像表示装置。
【請求項９】
前記取得手段は、前記装飾枠の属性が所定の属性である表示用コンテンツの画像データを取得しない
ことを特徴とする請求項７又は請求項８に記載の画像表示装置。
【請求項１０】
前記表示画像生成手段により生成した表示用画像データに対応する前記枠属性に応じて、当該表示用画像データに対応する表示用コンテンツの画像データを記憶手段に記憶する
ことを特徴とする請求項１〜９のいずれか一項に記載の画像表示装置。
【請求項１１】
前記表示画像生成手段により生成した表示用画像データに対応する前記枠属性に応じて、当該表示用画像データに対応する表示用コンテンツの画像データを前記記憶手段から消去する
ことを特徴とする請求項１０に記載の画像表示装置。
【請求項１２】
前記表示手段は、前記表示用画像データに基づいた画像をスクリーンに投影する投影部を有することを特徴とする請求項１〜１１のいずれか一項に記載の画像表示装置。
【請求項１３】
当該画像表示装置を、前記取得手段、前記枠画像記憶手段、前記装飾枠選択手段、前記表示画像生成手段、及び属性設定手段として機能させるプログラムを外部装置から取得するプログラム取得手段を有する
ことを特徴とする請求項１〜１２のいずれか一項に記載の画像表示装置。
【請求項１４】
コンピュータを、表示用コンテンツの画像データを取得する取得手段、前記表示用コンテンツを嵌め込むための装飾枠の画像データを記憶する枠画像記憶手段、前記表示用コンテンツの属性に対応した装飾枠を選択する装飾枠選択手段、前記装飾枠選択手段により選択された装飾枠に前記表示用コンテンツを嵌め込んだ表示用画像データを生成する表示画像生成手段、前記表示用コンテンツの属性に前記装飾枠の属性を対応させて設定する属性設定手段として機能させるプログラム。
【発明の詳細な説明】
【技術分野】
【０００１】
本発明は、画像表示装置に関し、特に、表示用コンテンツの画像データを取得し、この画像データに基づいた画像を表示する画像表示装置及びプログラムに関する。
【背景技術】
【０００２】
従来より、画像表示装置として、コンピュータ装置等から画像データを入力して液晶表示素子に当該画像を表示し、この液晶表示素子に光を照射して投影スクリーン上に拡大投影するプロジェクタなどが広く使用されている。
【０００３】
この種のプロジェクタは、会議における小規模のプレゼンテーションや、多数の聴衆を集めて自分の研究成果を発表する大規模のプレゼンテーション等において、多様に使用されている。例えば、特許文献１には、プロジェクタの大画面を有効に利用し、複数の画像を並列表示、単一画面表示、拡大／縮小表示することにより、複数の画像の参照や比較を容易にして効果的なプレゼンテーションを可能としたプロジェクタが開示されている。
【特許文献１】特開２００６−３３０４６８号公報
【発明の開示】
【発明が解決しようとする課題】
【０００４】
しかしながら、プロジェクタなどの画像表示装置では、複数の画像を並列表示、単一画面表示、拡大／縮小表示して、複数の画像の参照や比較を容易にすることができるものの、複数の画像を分類したり整理したりすることが容易に行えるものではない。
【０００５】
そこで、本発明は、複数の画像の分類や整理を容易に行うことのできる画像表示装置を提供することを目的とするものである。
【課題を解決するための手段】
【０００６】
上記目的を達成するために、請求項１に記載の発明は、表示用コンテンツの画像データを取得する取得手段と、前記表示用コンテンツを嵌め込むための装飾枠の画像データを記憶する枠画像記憶手段と、前記表示用コンテンツの属性に対応した属性を有する装飾枠を選択する装飾枠選択手段と、前記装飾枠選択手段により選択された装飾枠に前記表示用コンテンツを嵌め込んだ表示用画像データを生成する表示画像生成手段と、前記表示用画像データに基づいた画像を表示する表示手段と、を有する画像表示装置であって、前記表示用コンテンツの属性に前記装飾枠の属性を対応させて設定する属性設定手段を備えたことを特徴とする。
【０００７】
また、請求項２に記載の発明は、請求項１に記載の発明において、前記装飾枠の属性は、色、形、模様、サイズ、絵柄のうち少なくとも一つの情報であることを特徴とする。
【０００８】
また、請求項３に記載の発明は、請求項１又は請求項２に記載の発明において、前記表示用コンテンツの属性を選択するコンテンツ属性選択手段を有することを特徴とする。
【０００９】
また、請求項４に記載の発明は、請求項１〜３のいずれか一項に記載の発明において、前記装飾枠の属性を設定する枠属性設定手段を有することを特徴とする。
【００１０】
また、請求項５に記載の発明は、請求項１〜４のいずれか一項に記載の発明において、前記表示手段は、前記装飾枠の属性に応じて、輝度、色相、彩度及びサイズのうち少なくとも一つを調整して前記画像を表示することを特徴とする。
【００１１】
また、請求項６に記載の発明は、請求項１〜４のいずれか一項に記載の発明において、前記表示画像生成手段は、前記装飾枠の属性に応じて、輝度、色相、彩度及びサイズのうち少なくとも一つを調整した前記表示用画像データを生成することを特徴とする。
【００１２】
また、請求項７に記載の発明は、請求項１〜６のいずれか一項に記載の発明において、前記取得手段は、前記表示用コンテンツの画像データを複数記憶する記憶装置から前記表示用コンテンツの画像データを、当該表示用コンテンツの属性又は当該表示用コンテンツに対応する装飾枠の属性に応じて順次取得し、前記装飾枠選択手段は、前記取得手段で取得した前記表示用コンテンツの属性に対応した属性を有する装飾枠を順次選択し、前記表示画像生成手段は、前記装飾枠選択手段により選択された装飾枠に前記表示用コンテンツを嵌め込んだ表示用画像データを順次生成し、前記表示手段は、前記表示画像生成手段で生成された前記表示用画像データに基づいた画像を順次表示することを特徴とする。
【００１３】
また、請求項８に記載の発明は、請求項７に記載の発明において、前記表示手段は、前記表示用画像データに対応する装飾枠の属性に応じた時間だけ、前記表示用画像データに基づいた画像を表示する。
【００１４】
また、請求項９に記載の発明は、請求項７又は請求項８に記載の発明において、前記取得手段は、前記装飾枠の属性が所定の属性である表示用コンテンツの画像データを取得しないことを特徴とする。
【００１５】
また、請求項１０に記載の発明は、請求項１〜９のいずれか一項に記載の発明において、前記表示画像生成手段により生成した表示用画像データに対応する前記枠属性に応じて、当該表示用画像データに対応する表示用コンテンツの画像データを記憶手段に記憶することを特徴とする。
【００１６】
また、請求項１１に記載の発明は、請求項１０に記載の発明において、前記表示画像生成手段により生成した表示用画像データに対応する前記枠属性に応じて、当該表示用画像データに対応する表示用コンテンツの画像データを前記記憶手段から消去することを特徴とする。
【００１７】
また、請求項１２に記載の発明は、請求項１〜１１のいずれか一項に記載の発明において、前記表示手段は、前記表示用画像データに基づいた画像をスクリーンに投影する投影部を有することを特徴とする。
【００１８】
また、請求項１３に記載の発明は、請求項１〜１２のいずれか一項に記載の発明において、該画像表示装置を、前記取得手段、前記枠画像記憶手段、前記装飾枠選択手段、前記表示画像生成手段、及び属性設定手段として機能させるプログラムを外部装置から取得するプログラム取得手段を有することを特徴とする。
【００１９】
また、請求項１４に記載の発明は、コンピュータを、表示用コンテンツの画像データを取得する取得手段、前記表示用コンテンツを嵌め込むための装飾枠の画像データを記憶する枠画像記憶手段、前記表示用コンテンツの属性に対応した装飾枠を選択する装飾枠選択手段、前記装飾枠選択手段により選択された装飾枠に前記表示用コンテンツを嵌め込んだ表示用画像データを生成する表示画像生成手段、前記表示用コンテンツの属性に前記装飾枠の属性を対応させて設定する属性設定手段として機能させるプログラムとした。
【発明の効果】
【００２０】
本発明によれば、表示用コンテンツの画像データを取得し、この表示用コンテンツの属性に対応した属性を有する装飾枠に表示用コンテンツを嵌め込んだ表示用画像データを生成して、この表示用画像データに基づいた画像を表示し、しかも、表示用コンテンツの属性に装飾枠の属性を対応させて設定できるようにしたので、コンテンツ属性に応じて装飾枠を異ならしめて表示することによって、表示用コンテンツの分類や検索を容易に行うことができ、画像表示装置を用いた会議などや作業を効率よく行うことができる。
【発明を実施するための最良の形態】
【００２１】
［１．画像表示装置の概要］
本発明の画像表示装置は、プロジェクタなどの画像投影装置や表示器付のコンピュータ装置などに適用されるものであり、図１に示すように、本発明の一実施形態である画像表示装置１は、表示用コンテンツの画像データを取得する取得手段１０と、表示用コンテンツを嵌め込むための装飾枠の画像データを記憶する枠画像記憶手段１１と、表示用コンテンツの属性に対応した属性を有する装飾枠を選択する装飾枠選択手段１２と、この装飾枠選択手段１２により選択された装飾枠に表示用コンテンツを嵌め込んだ表示用画像データを生成する表示画像生成手段１３と、表示用画像データに基づいた画像を表示する表示手段１４とを備えている。
【００２２】
表示用コンテンツとしては、各種の静止画データ、動画データなどの他、文書データなどが含まれる。上記取得手段１０は、これらの表示用コンテンツの画像データを、画像表示装置１内の記憶部１５又は画像表示装置１の外部の記憶装置３（例えば、画像表示装置１に装着されたメモリカードなどの記憶媒体或いは通信可能に接続された他のコンピュータ装置など）から取得する。
【００２３】
この表示用コンテンツには、１以上の属性（以下、「コンテンツ属性」とする。）が対応付けられている。例えば、表示用コンテンツが静止画や動画などの場合のコンテンツ属性としては、画像の種類（たとえば、拡張子）、表示手段１４で表示した回数などがある。
【００２４】
また、表示用コンテンツを嵌め込むための装飾枠は、図２に示すように、表示用コンテンツの画像周辺に装飾などのために配置される画像であり、色（色相、色彩、輝度）、形、模様、サイズ、絵柄などの属性（以下、「枠属性」とする。）が異なる複数の装飾枠の画像データが枠画像記憶手段１１に記憶されている。この枠属性は、装飾枠の画像データと関連付けられて枠画像記憶手段１１に記憶される。
【００２５】
このように、表示用コンテンツの画像データはコンテンツ属性と関連付けられ、装飾枠の画像データは枠属性と関連付けられて、各記憶手段に記憶されており、装飾枠選択手段１２は、表示手段１４によって表示すべき画像に対応する表示用コンテンツのコンテンツ属性に対応した枠属性の装飾枠を選択する。例えば、所定の拡張子を有する画像データの表示用コンテンツのコンテンツ属性が、装飾枠の色相として緑色の枠属性と対応するときに、表示すべき画像に対応する表示用コンテンツのコンテンツ属性が所定の拡張子であるとき、緑色の枠属性を有する装飾枠を選択する。
【００２６】
その後、表示画像生成手段１３は、装飾枠選択手段１２により選択された装飾枠に表示用コンテンツを嵌め込んだ画像（例えば、図２参照）の画像データである表示用画像データを生成する。そして、表示手段１４は、表示用画像データに基づいた画像を表示する。ここで、表示手段１４とは、例えば、プロジェクタの場合には表示用画像データに基づいた画像をスクリーンに投影する投影部を意味し、表示器付のコンピュータ装置の場合には表示用画像データに基づいた画像を表示する表示器（例えば、ＬＣＤなど）を意味する。
【００２７】
このように本実施形態における画像表示装置１では、表示用コンテンツに応じた装飾枠を嵌め込んだ画像を表示することができるものであるが、図１に示すように、さらに、表示用コンテンツの属性に装飾枠の属性を対応させて設定する属性設定手段１６を備えている。
【００２８】
このように、属性設定手段１６によって、表示用コンテンツのコンテンツ属性に装飾枠の枠属性を対応させることができるようにしていることから、画像表示装置１を用いて会議などや作業を効率よく行うことができる。
【００２９】
すなわち、本実施形態における画像表示装置１では、表示用コンテンツに対して装飾枠を直接対応させるのではなく、表示用コンテンツのコンテンツ属性に装飾枠の枠属性を対応させることができることから、同一コンテンツ属性を有する表示用コンテンツが複数ある場合において、それらに同一の装飾枠を対応させることができる。したがって、コンテンツ属性に応じて装飾枠を異ならしめて表示することによって、表示用コンテンツの分類や検索を容易に行うことができ、画像表示装置１を用いて会議などや作業を効率よく行うことができる。
【００３０】
また、本実施形態における画像表示装置１では、表示用コンテンツの属性であるコンテンツ属性を設定するコンテンツ属性設定手段１７を有している。このコンテンツ属性設定手段１７は、画像表示装置１のユーザーが入力手段１９によって入力した情報（例えば、○、△、×）や表示手段１４によって表示用コンテンツが表示された回数や時間などの情報を表示用コンテンツの属性として設定する。
【００３１】
コンテンツ属性の設定は、表示用コンテンツの画像データと関連付けることによって行われる。具体的には、表示用コンテンツの画像データが記憶されている記憶部（画像表示装置１内の記憶部１５やメモリカードなどの記憶媒体などの外部の記憶装置３）にコンテンツ属性と関連付けて記憶する方法と、表示用コンテンツの画像データのヘッダ部分にコンテンツ属性の情報を埋め込む方法などがある。
【００３２】
また、本実施形態における画像表示装置１では、装飾枠の属性である枠属性を選択する枠属性選択手段１８を有している。この枠属性選択手段１８は、ユーザーの入力手段１９による操作に応じて枠属性の内容を選択（例えば、枠属性の種別として「絵柄」があったときに、「網掛け」を選択）して行うものであり、これにより選択した枠属性の内容に対応するコンテンツ属性の内容を有する表示用コンテンツをさらに容易に検索等を行うことができる。
【００３３】
例えば、表示用コンテンツのコンテンツ属性をユーザーによって「○」、「△」、「×」の３つに設定したときに、枠属性の種別を「絵柄」とし、コンテンツ属性の内容が「○」、「△」、「×」のときに対応する枠属性の内容をそれぞれ「網掛け」、「グラデーション」、「ベタ塗り」としたとき、ユーザーは、「網掛け」の枠属性の内容を選択することによって、コンテンツ属性の内容が「○」である表示用コンテンツを容易に把握することができる。
【００３４】
ところで、コンテンツ属性に応じた装飾枠は、枠画像記憶手段１１にその画像データが記憶されるものであるが、装飾枠の輝度、色相、彩度及びサイズについては、表示画像生成手段１３や表示手段１４で生成することもできる。例えば、表示手段１４でのコンテンツ属性に応じた装飾枠の生成は、装飾枠の属性に応じて、輝度、色相、彩度及びサイズのうちを少なくとも一つを調整して画像を表示することによって行われる。また、表示画像生成手段１３でのコンテンツ属性に応じた装飾枠の生成は、装飾枠の属性に応じて、輝度、色相、彩度及びサイズの少なくとも一つを調整した表示用画像データを生成することによって行われる。
【００３５】
また、本実施形態における画像表示装置１では、画像表示装置１内の記憶部１５やメモリカードなどの記憶媒体などの記憶装置３に表示用コンテンツの画像データが多数記憶されている場合に、表示用コンテンツのコンテンツ属性の内容やコンテンツ属性の内容に対応する枠属性に応じた表示を行うことができるようにしている。すなわち、取得手段１０は、表示用コンテンツの画像データを複数記憶する記憶装置から表示用コンテンツの画像データを、当該表示用コンテンツのコンテンツ属性の内容又は当該コンテンツ属性に対応する装飾枠の属性に応じて順次取得し、装飾枠選択手段１２は、取得手段１０で取得した表示用コンテンツの属性の内容に対応した属性を有する装飾枠を順次選択し、表示画像生成手段１３は、装飾枠選択手段１２により選択された装飾枠に表示用コンテンツを嵌め込んだ表示用画像データを順次生成し、表示手段１４は、表示画像生成手段１３で生成された表示用画像データに基づいた画像を順次表示する。
【００３６】
したがって、例えば、コンテンツ属性の内容として「○」、「△」、「×」のいずれかが設定されている表示用コンテンツの群が記憶装置３に記憶されており、枠属性の種別を「絵柄」とし、コンテンツ属性の内容が「○」のときに枠属性の内容が「網掛け」、コンテンツ属性の内容が「△」のときに枠属性の内容が「グラデーション」、コンテンツ属性の内容が「×」のときに枠属性の内容が「ベタ塗り」としてコンテンツ属性の内容を枠属性の内容に対応付けたとき、コンテンツ属性の内容が「○」、「△」、「×」の順に表示するように入力手段１９からユーザーが指定すると、画像表示装置１は、コンテンツ属性の内容が「○」のものから順に記憶装置３から表示用コンテンツを取り出され、対応する装飾枠に嵌め込まれて表示手段１４によって表示される。また、枠属性の内容が「ベタ塗り」、「グラデーション」、「網掛け」の順に表示するように入力手段１９からユーザーが指定すると、表示用コンテンツは、枠属性の内容が「ベタ塗り」であるコンテンツ属性の内容を有するものから順に記憶装置から表示用コンテンツが取り出され、対応する装飾枠に嵌め込まれて表示手段１４によって表示される。
【００３７】
また、コンテンツ属性の内容が「○」のものだけ表示するように入力手段１９からユーザーが指定すると、コンテンツ属性の内容が「○」の表示用コンテンツだけが順次取り出され、対応する装飾枠に嵌め込まれて表示手段１４によって表示される。また、枠属性の内容が「網掛け」のものだけ表示するように入力手段１９からユーザーが指定すると、枠属性の内容が「網掛け」に対応するコンテンツ属性の内容を有する表示用コンテンツだけが記憶装置から順に取り出され、枠属性の内容が「網掛け」の装飾枠に嵌め込まれて表示手段１４によって表示される。
【００３８】
このように、取得手段１０は、コンテンツ属性が所定の属性である表示用コンテンツの画像データや装飾枠の属性が所定の属性である表示用コンテンツの画像データだけを取得することができる。言い換えれば、コンテンツ属性が所定の属性以外の表示用コンテンツの画像データや装飾枠の属性が所定の属性以外の表示用コンテンツの画像データを取得しないことができる。したがって、画像表示装置１を用いて表示用コンテンツの検索や分類をさらに容易に行うことができる。
【００３９】
また、本実施形態における画像表示装置１では、表示用画像データのコンテンツ属性や表示用画像データに対応する装属性に応じた時間だけ、表示用画像データに基づいた画像を表示手段１４に表示するようにしている。例えば、コンテンツ属性の内容として「○」、「△」、「×」のいずれかが設定されている表示用コンテンツについて、「○」のコンテンツ属性の内容を有する表示用コンテンツを１０秒表示し、「△」のコンテンツ属性の内容を有する表示用コンテンツを５秒表示し、「×」のコンテンツ属性の内容を有する表示用コンテンツを２秒表示する。また、枠属性の内容として「網掛け」、「グラデーション」、「ベタ塗り」があるとき、「網掛け」の枠属性の内容に対応する表示用コンテンツを１０秒表示し、「グラデーション」の枠属性の内容に対応する表示用コンテンツを５秒表示し、「ベタ塗り」の枠属性の内容に対応する表示用コンテンツを２秒表示する。
【００４０】
また、本実施形態における画像表示装置１では、表示画像生成手段１３により生成した表示用画像データに対応する枠属性に応じて、当該表示用画像データに対応する表示用コンテンツの画像データを記憶手段に記憶することができる。例えば、枠属性の内容として「網掛け」、「グラデーション」、「ベタ塗り」があるとき、「網掛け」と「グラデーション」の枠属性の内容に対応する表示用コンテンツの画像データを所定の記憶手段（画像表示装置１内の記憶部１５やメモリカードなどの記憶媒体などの外部の記憶装置３）に記憶することができる。このように、所定の枠属性の内容に対応する表示用コンテンツの画像データを選択して記憶することができるので、画像データの分類や選択を容易に行うことができる。
【００４１】
また、表示画像生成手段１３により生成した表示用画像データに対応する枠属性の内容に応じて、当該表示用画像データに対応する表示用コンテンツの画像データを記憶手段（画像表示装置１内の記憶部１５やメモリカードなどの記憶媒体などの外部の記憶装置３）から消去することができる。例えば、コンテンツ属性の内容として「○」、「△」、「×」のいずれかが設定されている表示用コンテンツの群が記憶装手段に記憶され、枠属性の種別を「色相」とし、コンテンツ属性の内容「○」、「△」、「×」に対応する枠属性の内容を「網掛け」、「グラデーション」、「ベタ塗り」としたとき、枠属性の内容「ベタ塗り」のものを削除するように入力手段１９からユーザーが指定すると、枠属性の内容が「ベタ塗り」に対応するコンテンツ属性の内容「×」の表示用コンテンツが記憶手段から削除される。
【００４２】
ところで、本実施形態の画像表示装置１を、取得手段１０、枠画像記憶手段１１、装飾枠選択手段１２、表示画像生成手段１３、及び属性設定手段１６として機能させるプログラムを外部装置（例えば、画像表示装置１にＬＡＮやＵＳＢなどで接続されたコンピュータ装置）から取得するプログラム取得手段を設けてもよい。このようにすることで、画像表示装置１をこれらの手段として機能させるプログラムにバグ（プログラムミス）などがあったときや機能アップをさせたいときに、新たなプログラムへの入れ替えを簡単に行うことができる。
【００４３】
また、取得手段１０、枠画像記憶手段１１、装飾枠選択手段１２、表示画像生成手段１３、及び属性設定手段１６を画像表示装置１上で機能させることとしたが、画像表示装置１に通信可能に接続された外部装置（例えば、画像表示装置１にＬＡＮやＵＳＢなどで接続されたコンピュータ装置）上で機能させるようにしてよい。すなわち、外部装置において、表示用コンテンツの画像データを取得する取得手段、表示用コンテンツを嵌め込むための装飾枠の画像データを記憶する枠画像記憶手段、表示用コンテンツの属性に対応した装飾枠を選択する装飾枠選択手段、装飾枠選択手段により選択された装飾枠に表示用コンテンツを嵌め込んだ表示用画像データを生成する表示画像生成手段、表示用コンテンツの属性に装飾枠の属性を対応させて設定する属性設定手段を動作させ、表示画像生成手段によって生成した表示用画像データを画像表示装置１へ出力して、画像表示装置１の表示手段１４において表示用画像データに基づいた画像を表示する。
【００４４】
［２．画像表示装置の具体的構成］
以下、本発明の実施形態の画像表示装置１の一例を図面を参照しながらさらに詳しく説明する。ここでは、画像表示装置１の一例としてプロジェクタを説明する。図３は本実施形態における画像表示装置１を含む画像表示システムＳの全体構成図である。
【００４５】
図３に示すように、本実施形態における画像表示システムＳは、画像表示装置１と、この画像表示装置１を操作することができる複数のリモコン２ａ〜２ｃと、画像表示装置１に装着するメモリカードなどの記憶媒体である記憶装置３とから構成される。以下、リモコン２ａ〜２ｃの任意の一つを表す場合にはリモコン２と表現することがあるものとする。
【００４６】
リモコン２と画像表示装置１との間の無線通信は、赤外線による赤外線データ通信を採用している。なお。赤外線ではなく可視光による無線通信であってもよく、また、ＩＥＥＥ８０２．１１規格のような無線ＬＡＮによる無線通信であってもよい。
【００４７】
画像表示装置１は、リモコン２からのユーザーによる操作に応じて、記憶装置３に記憶されたデータを読み出し、記憶装置３にデータを書き込む記憶媒体ドライブを備えており、この記憶媒体ドライブを介して記憶装置３に記憶された表示用コンテンツの画像データを取得する。なお、データの取得については、記憶装置３内に記憶されたデータの全てを取得してもよく、また、記憶装置３内の所定のフォルダを選択し当該フォルダ内に記憶されているデータのみを取得するようにしてもよい。
【００４８】
（画像表示装置１の構成について）
次に、画像表示装置１の構成について説明する。図４は本実施形態における画像表示装置１の構成図である。
【００４９】
画像表示装置１は、図４に示すように、各種操作を行うための操作パネル１０１と、設定情報や画像データなどを保持するための不揮発性メモリである記憶部１０２と、赤外線による無線通信を行う赤外線通信部１０３と、外部の記憶装置３から画像データを取得したり、外部のコンピュータ装置と通信したりするためのインターフェイス１０４と、外部から映像信号を入力する映像信号入力回路１０５と、映像信号入力回路１０５を介して入力される映像信号やインターフェイス１０４を介して取得した画像データに所定の処理を施す画像処理回路１０６と、この画像処理回路１０６から出力される画像信号に基づいた画像を投影する投影部１０７と、画像表示装置１全体を制御する制御部１０８とを備えており、これらはハウジングに内蔵される。
【００５０】
操作パネル１０１は、画像表示装置１において使用者が操作パネル１０１を操作することによって、その操作内容に応じた制御を制御部１０８が実行する。
【００５１】
記憶部１０２は、フラッシュメモリ（flash memory）などから構成され、表示用コンテンツを嵌め込むための装飾枠の画像データを記憶する枠画像記憶領域１１０（枠画像記憶手段の一例に相当）を有している。この枠画像記憶領域１１０には、装飾枠の画像データのほか、この装飾枠の画像データ毎に関連づけられる枠属性が記憶される。なお、この枠属性の情報は、装飾枠の画像データのヘッダ部分に埋め込まれるようにしてもよい。
【００５２】
赤外線通信部１０３は、赤外線ＬＥＤなどから構成される赤外線受光部１１１と、赤外線受光部１１１により受信した赤外線信号をデータに変換する処理を行う赤外線制御部１１２とを備えている。
【００５３】
インターフェイス１０４は、外部装置との通信を行うことができるＵＳＢインターフェイスであり、外部の記憶装置３から画像データを取得したり、外部のコンピュータ装置と通信したりするときに制御部１０８によって用いられる。なお、インターフェイス１０４としてＵＳＢインターフェイスに代えて、ＬＡＮインターフェイスなどを用いるようにしてもよい。
【００５４】
映像信号入力回路１０５は、コンポジット映像信号（例えばＮＴＳＣ映像信号）やコンポーネント映像信号（例えばＲＧＢ信号）などの映像信号を入力する。
【００５５】
画像処理回路１０６は、制御部１０８による制御に基づいて、映像信号入力回路１０５に入力された映像信号或いはインターフェイス１０４を介して取得した画像データに対し、装飾枠の付加などの加工を行う。このように加工されて生成された画像信号は、投影部１０７に入力される。
【００５６】
投影部１０７は、ランプ駆動回路１２０と、光源１２１と、照明光学系１２２と、透過型液晶パネル１２３（以下、「ＬＣＤ１２３」とする。）と、結像光学系１２４と、ＬＣＤ駆動回路１２５と、ピント調整回路１２６とを備えている。
【００５７】
光源１２１は、ランプなどから構成され、制御部１０８によって制御されたランプ駆動回路１２０から出力される信号に基づいて、点灯駆動されて発光する。光源１２１で発光された光は、照明光学系１２２によって、照明光としてＬＣＤ１２３に照射される。
【００５８】
ＬＣＤ１２３は、ＬＣＤ駆動回路１２５によって駆動され、その表示面に映像を表示する。このように表示された映像は、照明光学系１２２からの照明光によって、光としてＬＣＤ１２３から出射される。続いて、この出射光は、結像光学系１２４及びハウジングの投影用開口部（図示せず）を通って、スクリーン（投射面）に投影される。このように、ＬＣＤ１２３に表示される画像がスクリーンに投影される構成となっている。なお、ピント調整回路１２６によって、スクリーンに投影する画像のピントを調整することができる。
【００５９】
制御部１０８は、ＣＰＵ(Central Processing Unit)，ＲＯＭ（Read Only Memory)，ＲＡＭ（Random Access Memory)などを内蔵しており、ＣＰＵがＲＯＭに予め格納されたプログラムを読み出して実行することによって、画像表示装置１を、表示用コンテンツの画像データを取得する取得手段、表示用コンテンツを嵌め込むための装飾枠の画像データを記憶する枠画像記憶手段、表示用コンテンツのコンテンツ属性に対応した枠属性を有する装飾枠を選択する装飾枠選択手段、この装飾枠選択手段により選択された装飾枠に表示用コンテンツを嵌め込んだ表示用画像データを生成する表示画像生成手段、表示用コンテンツのコンテンツ属性に装飾枠の枠属性を対応させて設定する属性設定手段、表示用コンテンツのコンテンツ属性を設定するコンテンツ属性設定手段、装飾枠の枠属性を選択する枠属性選択手段等として機能させる。
【００６０】
制御部１０８は取得手段として、インターフェイス１０４を介して記憶装置３から表示用コンテンツの画像データを取得する。ここで、本実施形態においては、記憶装置３に複数の表示用コンテンツの画像データが記憶されているものとする。
【００６１】
また、制御部１０８は、記憶部１０２の所定領域に表示用コンテンツを嵌め込むための装飾枠の画像データを記憶して記憶部１０２を枠画像記憶手段として機能させる。図５に示すように、装飾枠には複数の枠属性（色相、色彩、輝度、形、位置、絵柄、サイズ、枠の太さ、背景画像など）があり、これら複数の枠属性に対応する装飾枠を生成するための画像データが記憶部１０２に記憶される。
【００６２】
図６は、装飾枠の具体的な構成を例示した図である。表示用画像データは、装飾枠に表示用コンテンツ（ここでは、「ノートパソコン」５０）を嵌め込んだ画像であり、図６に示すように、枠属性の種別としては、（ａ）形、（ｂ）絵柄、（ｃ）色相、（ｄ）背景画像等がある。また、それぞれの枠属性の種別の中には、さらに、複数の枠属性の内容が含まれている。例えば、枠属性の種別「形」の中には、「丸型」３１、「ハート型」３２があり、枠属性の種別「絵柄」の中には、「網掛け」３３、「グラデーション」３４があり、枠属性の種別「色相」の中には、「黒」３５、「グレー」３６があり、枠属性の種別「背景画像」の中には、「街並み」３７、「海」３８などがある。
【００６３】
また、制御部１０８は装飾枠選択手段として、表示用コンテンツのコンテンツ属性に対応した枠属性を有する装飾枠を選択する。表示用コンテンツのコンテンツ属性の種別としては、図７に示すように、撮像日時、画像サイズ、カメラモデル、解像度、種類（ファイルの拡張子）、投影時間、投影回数、評価（○、△、×）、コメントなどがあり、図８に示すように、表示用コンテンツの画像データのヘッダ部分に埋め込まれる情報である。例えば、撮像日時、画像サイズ、カメラモデル、解像度などは、デジタルカメラなどで撮像したときの画像データのヘッダ部分にデジタルカメラによって埋め込まれる情報であり、投影時間、投影回数は画像表示装置１の制御部１０８が表示用コンテンツを投影部１０７から投影した時間や回数であり、制御部１０８によって表示用コンテンツの画像データのヘッダ部分に埋め込まれる情報である。また、評価（○、△、×）、コメントなどはユーザーがリモコン２ａ〜２ｃなどの操作に基づいて制御部１０８によって表示用コンテンツの画像データのヘッダ部分に埋め込まれる情報である。
【００６４】
ここで、「表示用コンテンツのコンテンツ属性に対応した枠属性を有する装飾枠」とは、表示用コンテンツのコンテンツ属性の種別に対応した枠属性の種別を有する装飾枠であって、コンテンツ属性の内容に対応する枠属性の内容の装飾枠を意味する。この対応関係は、制御部１０８が属性設定手段として機能することによって設定されるものであり、例えば、図９（ａ）に示すように、コンテンツ属性の種別と枠属性の種別とが互いに関連づけられ、さらに図９（ｂ）に示すように、コンテンツ属性の内容と装飾枠の属性の内容とが関連づけられる。
【００６５】
ここで、コンテンツ属性の内容とは、図７に示すように、各コンテンツ属性の具体的な内容であり、例えば、コンテンツ属性の種別が「評価」の場合は、「○」、「△」、「×」であり、コンテンツ属性の種別が「拡張子」の場合は、「ＪＰＥＧ」、「ＴＩＦＦ」、「ＧＩＦ」などである。
【００６６】
また、制御部１０８は画像処理回路１０６と共に表示画像生成手段として機能し、装飾枠選択手段により選択された装飾枠に表示用コンテンツを嵌め込んだ表示用画像データを生成する。具体的には、制御部１０８は、取得手段によって取得した表示用コンテンツのコンテンツ属性の内容に対応した枠属性の内容を有する装飾枠の画像データを記憶部１０２の枠画像記憶領域１１０から読み出し、取得手段によって取得した表示用コンテンツの画像データと共に、画像処理回路１０６へ入力する。画像処理回路１０６は、これらの画像データに基づいて、選択された装飾枠に表示用コンテンツを嵌め込んだ表示用画像データを合成処理によって生成する。このように生成された表示用画像データは、画像処理回路１０６から画像信号としてＬＣＤ駆動回路１２５へ出力される。
【００６７】
また、制御部１０８はコンテンツ属性設定手段として、表示用コンテンツのコンテンツ属性の内容を設定する。このコンテンツ属性の内容の設定は、表示用コンテンツの画像データと関連付けることによって行われる。具体的には、記憶装置３に記憶されている表示用コンテンツの画像データのヘッダ部分にコンテンツ属性の種別及び内容の情報を埋め込むことによって行われる。例えば、「評価−○」や「評価−×」である。
【００６８】
また、制御部１０８は枠属性選択手段として、装飾枠の枠属性を選択する。この枠属性の選択は、ユーザーがリモコン２ａ〜２ｃによって枠属性の内容を選択（例えば、枠属性の種別として「絵柄」があったときに、「網掛け」を選択）して行うものであり、これにより選択した枠属性の内容に対応するコンテンツ属性の内容を有する表示用コンテンツをさらに容易に検索等を行うことができる。例えば、コンテンツ属性の内容が「○」、「△」、「×」のときに対応する枠属性の内容をそれぞれ「網掛け」、「グラデーション」、「ベタ塗り」としたとき、ユーザーは、「網掛け」の枠属性の内容を選択することによって、コンテンツ属性の内容が「○」である表示用コンテンツを容易に把握することができる。
【００６９】
なお、リモコン２は、図１０に示すように、ＬＣＤ（Liquid Crystal Display）などの表示手段である表示装置２０１、電源スイッチ２０２、上下左右キーである十字キー２０３、決定キー２０４、分類モード選択スイッチ２０５，検索モード選択スイッチ２０６，表示モード選択スイッチ２０７、赤外線通信部２０８などを備えている。入力手段１９は、このリモコン２と赤外線通信部１０３とにより構成される。
【００７０】
（画像表示装置１の具体的動作について）
以上のように構成される画像表示装置１の具体的動作の一例について、図１１〜図２５を参照して説明する。図１１は本実施形態における画像表示装置１のメイン処理フローチャートである。
【００７１】
図１１に示すように、画像表示装置１の電源スイッチ（図示せず）が押下されたとき、画像表示装置１の制御部１０８は、分類モードが指示されたか否かを判定する（ステップＳ１００）。この判定は、リモコン２の分類モード選択スイッチ２０５が押下されたか否かによって判定される。この処理において、分類モードが指示されたと判定すると（ステップＳ１００：Ｙｅｓ）、制御部１０８は、分類モード処理を行う（ステップＳ１０１）。この分類モード処理は、図１２におけるステップＳ２０１〜Ｓ２０５までの処理であり、後述する。
【００７２】
分類モードが指示されていないとき（ステップＳ１００：Ｎｏ）、制御部１０８は、検索モードが指示されたか否かを判定する（ステップＳ１１０）。この判定は、リモコン２の検索モード選択スイッチ２０６が押下されたか否かによって判定される。この処理において、検索モードが指示されたと判定すると（ステップＳ１１０：Ｙｅｓ）、制御部１０８は、検索モード処理を行う（ステップＳ１１１）。この検索モード処理は、図２４におけるステップＳ２６０〜Ｓ２６３までの処理であり、後述する。
【００７３】
検索モードが指示されていないとき（ステップＳ１１０：Ｎｏ）、制御部１０８は、表示モードが指示されたか否かを判定する（ステップＳ１２０）。この判定は、リモコン２の表示モード選択スイッチ２０７が押下されたか否かによって判定される。この処理において、表示モードが指示されたと判定すると（ステップＳ１２０：Ｙｅｓ）、制御部１０８は、表示モード処理を行う（ステップＳ１２１）。
【００７４】
表示モード処理を開始すると、制御部１０８は、分類モード処理によって分類済みの表示用コンテンツの画像データを記憶装置３から取得する。次に、制御部１０８は、取得した表示用コンテンツにおけるコンテンツ属性の内容に応じた装飾枠を選択し、選択した装飾枠の画像データを記憶部１０２の枠画像記憶領域１１０から取得する。そして、選択した装飾枠に表示用コンテンツを嵌め込んだ表示用画像データを生成し、当該表示用画像データを投影部１０７からスクリーン上に投影する。
【００７５】
ステップＳ１０１、ステップＳ１１１、ステップＳ１２１の処理が終了したとき、或いはステップＳ１２０において表示モードが指示されていないと判定した場合（ステップＳ１２０：Ｎｏ）、制御部１０８は、画像表示装置１の電源がＯＦＦ状態へ移行したか否かを判定する（ステップＳ１３０）。画像表示装置１の電源がＯＦＦされていないと判定すると（ステップＳ１３０：Ｎｏ）、制御部１０８は、処理をステップＳ１００に移行する。一方、画像表示装置１の電源がＯＦＦされていると判定すると（ステップＳ１３０：Ｙｅｓ）、制御部１０８は、メイン処理を終了する。
【００７６】
次に、ステップＳ１０１における分類モード処理について、図１２を参照して具体的に説明する。図１２は本実施形態における画像表示装置１の分類モード処理フローチャートである。
【００７７】
図１２に示すように、分類モード処理を開始すると、画像表示装置１の制御部１０８は、ステップＳ２０１の属性選択処理を行う。この属性選択処理は、コンテンツ属性の種別及び枠属性の種別の選択を行うものである。この処理は、図１３におけるステップＳ２１０〜Ｓ２１４までの処理であり、後述する。
【００７８】
ステップＳ２０１における属性選択処理が終了すると、制御部１０８は、処理をステップＳ２０２のスライドショー処理に移行する。このスライドショー処理は、ステップＳ２０１の属性選択処理においてコンテンツ属性の種別及び枠属性の種別を選択したうえで、さらに、個々の表示用コンテンツについて、コンテンツ属性の内容及び枠属性の内容の選択を行うものである。この処理は、図１６におけるステップＳ２２０〜Ｓ２２８までの処理であり、後述する。
【００７９】
ステップＳ２０２におけるスライドショー処理が終了すると、制御部１０８は、処理をステップＳ２０３の表示方法選択処理に移行する。この表示方法選択処理は、表示させたい枠属性の内容を有する表示用コンテンツの群の選択及び当該表示用コンテンツの群を表示させる順番の選択を行うものである。この処理は、図１８におけるステップＳ２３０〜Ｓ２３２までの処理であり、後述する。
【００８０】
ステップＳ２０３における表示方法選択処理が終了すると、制御部１０８は、処理をステップＳ２０４の表示用コンテンツの表示処理に移行する。この表示用コンテンツの表示処理は、ステップＳ２０３の表示方法選択処理において設定した表示方法に従って表示用コンテンツの表示を行うものである。この処理は、図２０におけるステップＳ２４０〜Ｓ２４５までの処理であり、後述する。
【００８１】
ステップＳ２０４における表示用コンテンツの表示処理が終了すると、制御部１０８は、処理をステップＳ２０５の表示用コンテンツの保存処理に移行する。この表示用コンテンツの保存処理は、ステップＳ２０４の表示用コンテンツの表示処理において表示した表示用コンテンツの保存を行うものである。この処理は、図２２におけるステップＳ２５０〜Ｓ２５２までの処理であり、後述する。
【００８２】
ステップＳ２０５の処理が終了すると、制御部１０８は、分類モードを終了する。
【００８３】
次に、ステップＳ２０１における属性選択処理について、図１３〜図１５を参照して具体的に説明する。図１３は属性選択処理フローチャート、図１４はコンテンツ属性の種別選択画面、図１５は枠属性の種別選択画面である。
【００８４】
図１３に示すように、制御部１０８は、属性選択処理を開始すると、記憶装置３の表示用コンテンツのコンテンツ属性の種別を表示手段１４によって表示する（ステップＳ２１０）。
【００８５】
すなわち、ステップＳ２１０において、ユーザーがリモコン２の分類モード選択スイッチ２０５を押下すると、制御部１０８は、図１４に示すコンテンツ属性の種別選択画面を投影部１０７からスクリーン上に投影させる。このコンテンツ属性の種別選択画面には、選択可能なコンテンツ属性の種別が表示されており、ユーザーは、入力手段１９によって所望のコンテンツ属性の種別を選択する。コンテンツ属性の種別の選択は、リモコン２の十字キー２０３の上キー及び下キーを押下し、所望のコンテンツ属性の種別が表示されている位置にカーソルが位置した状態で決定キー２０４を押下することによって行われる。
【００８６】
次に、制御部１０８は、コンテンツ属性の種別が選択されたか否かを判定する（ステップＳ２１１）。この判定は、リモコン２の決定キー２０４が押下されたか否かによって判定するものであり、決定キー２０４が押下されたときにカーソルが位置するコンテンツ属性の種別が選択されたコンテンツ属性の種別である。
【００８７】
この処理において、コンテンツ属性の種別が選択されたと判定すると（ステップＳ２１１：Ｙｅｓ）、制御部１０８は、装飾枠の枠属性の種別を表示手段１４によって表示する（ステップＳ２１２）。
【００８８】
すなわち、ステップＳ２１２においては、ユーザーがリモコン２を操作することによってコンテンツ属性の種別を選択すると、図１５に示す枠属性の種別選択画面が投影部１０７からスクリーン上に投影される。この枠属性の種別選択画面には、選択可能な枠属性の種別が表示されており、ユーザーは、入力手段１９によって所望の枠属性を選択する。なお、枠属性の選択は、上記したコンテンツ属性の選択と同様、リモコン２の操作によって行われる。
【００８９】
次に、制御部１０８は、枠属性の種別が選択されたか否かを判定する（ステップＳ２１３）。この判定は、リモコン２の決定キー２０４が押下されたか否かによって判定するものであり、決定キー２０４が押下されたときにカーソルが位置する枠属性の種別が選択された枠属性の種別である。
【００９０】
この処理において、枠属性の種別が選択されたと判定すると（ステップＳ２１３：Ｙｅｓ）、制御部１０８は、処理をステップＳ２１４に移行する。
【００９１】
ステップＳ２１４において、制御部１０８は、選択されたコンテンツ属性の種別及び枠属性の種別を記憶部１０２に記憶し、属性選択処理を終了する。
【００９２】
次に、ステップＳ２０２におけるスライドショー処理について、図１６、１７を参照して具体的に説明する。図１６はスライドショー処理フローチャート、図１７は枠属性の内容選択画面である。
【００９３】
図１６に示すように、制御部１０８は、スライドショー処理を開始すると、記憶装置３から表示用コンテンツの画像データを取得する（ステップＳ２２０）。すなわち、制御部１０８は、記憶装置３に記憶されたデータを読み出し、記憶部１０２を介して記憶装置３に記憶された表示用コンテンツの画像データを取得する。
【００９４】
次に、制御部１０８は、取得した画像データに基づく画像を表示手段１４によって投影部１０７からスクリーン上に投影し（ステップＳ２２１）、処理をステップＳ２２２に移行する。
【００９５】
ステップＳ２２２において、制御部１０８は、コンテンツ属性の内容が決定しているか否かを判定する（ステップＳ２２２）。
【００９６】
ここで、例えば、コンテンツ属性として「拡張子」を選択した場合にはコンテンツ属性の内容（「ＪＰＥＧ」や「ＧＩＦ」など）は、表示用コンテンツごとに予め決まっているのでコンテンツ属性の内容は決定していると判定される。
【００９７】
一方、コンテンツ属性として「評価」を選択した場合、コンテンツ属性の内容である「○」、「△」、「×」は、表示用コンテンツによって予め決まっているものではなく、ユーザーがコンテンツ属性の内容として「○」、「△」、「×」の何れかを選択することによってコンテンツ属性の内容は決定済みと判定される。
【００９８】
かかるコンテンツ属性の内容の選択は、リモコン２の分類モード選択スイッチ２０５、検索モード選択スイッチ２０６、表示モード選択スイッチ２０７の何れかを押下することによって行われるものである。本実施形態においては、分類モード選択スイッチ２０５が「○」に、検索モード選択スイッチ２０６が「△」に、表示モード選択スイッチ２０７が「×」に対応しており、ユーザーが何れかのスイッチを押下することにより当該表示用コンテンツに対応するコンテンツ属性の内容の選択が行われる。なお、リモコン２が複数あり、かつ、各リモコン２で選択されたコンテンツ属性の内容が異なる場合は、多数決によって当該コンテンツ属性の内容を決定することも可能である。例えば、リモコン２ａ及びリモコン２ｃのユーザーが「○」を選択し、リモコン２ｂのユーザーが「×」を選択した場合、制御部１０８は、「○」が選択されたと判定する。また、何れか一つのリモコン２にコンテンツ属性の内容の決定権を持たせることとしてもよい。
【００９９】
コンテンツ属性の内容が決定していると判定すると（ステップＳ２２２：Ｙｅｓ）、制御部１０８は、処理をステップＳ２２３に移行する。
【０１００】
ステップＳ２２３において、制御部１０８は、選択されたコンテンツ属性の内容を表示用コンテンツに関連付けて設定する。この設定は、具体的には、記憶装置３に記憶されている表示用コンテンツの画像データのヘッダ部分にコンテンツ属性の種別及びの内容の情報を埋め込むことによって行われる。例えば、「評価−○」や「評価−×」である。
【０１０１】
次に、制御部１０８は、当該コンテンツ属性の内容に対応する枠属性の内容が選択済みであるか否かを判定する。この処理において、枠属性の内容が選択済みであると判定すると（ステップＳ２２４：Ｙｅｓ）、ステップＳ２２７に処理を移行する。
【０１０２】
枠属性の内容が選択済みでないと判定すると（ステップＳ２２４：Ｎｏ）、制御部１０８は、選択可能な枠属性の内容を表示手段１４によって表示する（ステップＳ２２５）。
【０１０３】
すなわち、枠属性の内容が選択済みでない場合、制御部１０８は、図１７に示す枠属性の内容選択画面を投影部１０７からスクリーン上に投影させる。この枠属性の内容選択画面には、選択可能な枠属性の内容が一覧表示されており、ユーザーは、入力手段１９によって所望の枠属性の内容を選択する。
【０１０４】
ここで、「選択可能な枠属性の内容」とは、属性選択処理において選択した枠属性の種別における枠属性の内容のうち、他のコンテンツ属性の内容と既に対応付けられている枠属性の内容を除いた枠属性の内容のことをいう。例えば、コンテンツ属性の内容である「○」に対応する枠属性の内容を選択する場合において、枠属性の内容である「グラデーション」が既にコンテンツ属性の内容である「△」に対応付けられたものである場合、枠属性の内容選択画面においては、「グラデーション」の選択欄の横に「「△」で設定済み」というメッセージが表示されるとともに「グラデーション」の選択欄にカーソルが位置しないようになる。選択可能な枠属性の内容を表示すると、制御部１０８は、処理をステップＳ２２６に移行する。
【０１０５】
ステップＳ２２６において、制御部１０８は、枠属性の内容の選択が行われたか否かを判定する。この判定は、リモコン２の決定キー２０４が押下されたか否かによって判定するものであり、決定キー２０４が押下されたときにカーソルが位置する枠属性の内容が選択された枠属性の内容である。この処理において、枠属性の内容の選択が行われたと判定すると（ステップＳ２２６：Ｙｅｓ）、制御部１０８は、処理をステップＳ２２７に移行する。
【０１０６】
ステップＳ２２７において、制御部１０８は、コンテンツ属性の内容を枠属性の内容に関連付けて設定し、処理をステップＳ２２８に移行する。
【０１０７】
ステップＳ２２８において、制御部１０８は、記憶装置３内に未取得の画像データがあるか否かを判定する。この処理において、未取得の画像データがあると判定すると（ステップＳ２２８：Ｙｅｓ）、制御部１０８は、処理をステップＳ２２０に移行する。一方、未取得の画像データがないと判定すると（ステップＳ２２８：Ｎｏ）、制御部１０８は、スライドショー処理を終了する。
【０１０８】
次に、ステップＳ２０３における表示方法選択処理について、図１８、１９を参照して具体的に説明する。図１８は表示方法選択処理フローチャート、図１９は表示方法選択画面である。
【０１０９】
図１８に示すように、制御部１０８は、表示方法選択処理を開始すると、表示方法選択画面を入力手段１９によって投影部１０７からスクリーン上に投影させる（ステップＳ２３０）。この表示方法選択画面は、図１９に示すように、どの枠属性の内容を有する表示用コンテンツの群を表示させるかを決定するための表示対象選択項目と、表示対象選択項目で選択した表示用コンテンツの群のうちどの枠属性の内容を有する表示用コンテンツの群から表示させるかを決定するための順番決め項目とから構成される。
【０１１０】
表示方法選択画面を表示すると、制御部１０８は、表示方法の選択が行われたか否かを判定する（ステップＳ２３１）。この判定は、リモコン２の決定キー２０４が押下されたか否かによって判定するものである。具体的には、ユーザーは、先ず、表示対象選択項目において、十字キー２０３を操作し、表示させたい表示用コンテンツの有する枠属性の内容の左側に表示されているチェックボックスにカーソルを合わせて決定キー２０４を押下する。この操作によって、制御部１０８は、表示対象とする枠属性の内容が選択されたと判定する。次に、ユーザーは、順番決め項目において、枠属性の内容の左側に表示されている欄内に表示する順番を入力する。これにより、制御部１０８は、表示順番が決定されたと判定する。この際、表示対象選択項目において選択しなかった枠属性の内容については、表示順番を入力することができないようになっている。
【０１１１】
ステップＳ２３１において、表示方法が選択されたと判定すると（ステップＳ２３１：Ｙｅｓ）、選択された表示方法の情報を設定し（ステップＳ２３２）、表示方法選択処理を終了する。
【０１１２】
次に、ステップＳ２０４における表示用コンテンツの表示処理について、図２０、２１を参照して具体的に説明する。図２０は表示用コンテンツの表示処理フローチャート、図２１は表示方法の選択の前後における表示用コンテンツの表示順序を示す図である。
【０１１３】
図２０に示すように、制御部１０８は、表示用コンテンツの表示処理を開始すると、ステップＳ２０３の表示方法選択処理において設定された情報に応じた表示用コンテンツの画像データを記憶装置３から取得する（ステップＳ２４０）。
【０１１４】
次に、制御部１０８は、取得した表示用コンテンツにおけるコンテンツ属性の内容に応じた装飾枠（すなわち当該コンテンツ属性の内容に対応する枠属性の内容）を選択し（ステップＳ２４１）、選択した装飾枠の画像データを記憶部１０２の枠画像記憶領域１１０から取得する（ステップＳ２４２）。
【０１１５】
次に、制御部１０８は、選択した装飾枠に表示用コンテンツを嵌め込んだ表示用画像データを生成する（ステップＳ２４３）。
【０１１６】
そして、制御部１０８は、表示用画像データを投影部１０７からスクリーン上に投影する（ステップＳ２４４）。
【０１１７】
例えば、図２１に示すように、表示用コンテンツ「ノートパソコン」５０及び「ＰＤＡ」５３には枠属性の内容「網掛け」３３が、表示用コンテンツ「パソコンａ」５１及び「携帯電話」５５には枠属性の内容「グラデーション」３４が、表示用コンテンツ「モニター」５２及び「パソコンｂ」５４には枠属性の内容「ベタ塗り」３９が設定されている場合、ステップＳ２０３の表示方法選択処理において、表示対象選択項目で「網掛け」３３及び「グラデーション」３４を選択し、さらに順番決め項目で「網掛け」３３→「グラデーション」３４の順で表示させるように設定すると、表示方法選択後においては、当該表示方法の設定に従い「網掛け」３３→「グラデーション」３４の順で表示され、さらに、表示対象選択項目で選択しなかった「ベタ塗り」３９は表示されない。すなわち、表示方法選択後は、表示用コンテンツ「ノートパソコン」５０→「ＰＤＡ」５３→「パソコンａ」５１→「携帯電話」５５の順で表示され、表示用コンテンツ「モニター」５２及び「パソコンｂ」５４は表示されない。
【０１１８】
次に、制御部１０８は、未取得の画像データがあるか否かを判定する（ステップＳ２４５）。この処理において、未取得の画像データがあると判定すると（ステップＳ２４５：Ｙｅｓ）、制御部１０８は、処理をステップＳ２４０に移行する。一方、未取得の画像データがないと判定すると（ステップＳ２４５：Ｎｏ）、制御部１０８は、表示用コンテンツの表示処理を終了する。
【０１１９】
次に、ステップＳ２０５における表示用コンテンツの保存処理について、図２２、２３を参照して具体的に説明する。図２２は表示用コンテンツの保存処理フローチャート、図２３は保存対象選択画面である。
【０１２０】
図２２に示すように、制御部１０８は、表示用コンテンツの保存処理を開始すると、保存対象選択画面を投影部１０７からスクリーン上に投影させる（ステップＳ２５０）。図２３に示すように、この保存対象選択画面には、保存対象となる枠属性の内容が一覧表示されており、ユーザーは、入力手段１９によって保存したい表示用コンテンツの群の有する枠属性の内容を選択する。なお、枠属性の内容の選択は、リモコン２の十字キー２０３の上キー及び下キーを押下し、所望の枠属性の内容が表示されている位置にカーソルが位置した状態で決定キー２０４を押下することによって行われる。
【０１２１】
次に、制御部１０８は、保存したい枠属性の内容の選択が行われたか否かを判定する（ステップＳ２５１）。この判定は、リモコン２の決定キー２０４が押下されたか否かによって判定するものであり、決定キー２０４が押下されたときにカーソルが位置する枠属性の内容が選択された枠属性の内容である。この処理において、枠属性の内容の選択が行われたと判定すると、制御部１０８は、選択された枠属性の内容に対応するコンテンツ属性の内容を有する表示用コンテンツを記憶装置３に保存し（ステップＳ２５２）、表示用コンテンツの保存処理を終了する。
【０１２２】
次に、検索モード処理について図２４及び図２５を用いて具体的に説明する。図２４は検索モード処理フローチャートであり、図２５は検索対象枠選択画面である。
【０１２３】
図２４に示すように、制御部１０８は、検索モード処理を開始すると、検索対象枠選択画面を投影部１０７からスクリーン上に投影させる（ステップＳ２６０）。この検索モード処理は、リモコン２の検索モード選択スイッチ２０６が押下されることにより開始される。
【０１２４】
検索モードが開始されると、図２５に示す検索対象枠選択画面が投影部１０７からスクリーン上に投影される。この検索対象枠選択画面には、検索対象となる枠属性の内容が一覧表示されており、ユーザーは、入力手段１９によって検索したい枠属性の内容を選択する。枠属性の内容の選択は、リモコン２の十字キー２０３の上キー及び下キーを押下し、所望の枠属性の内容が表示されている位置にカーソルが位置した状態で決定キー２０４を押下することによって行われる。
【０１２５】
次に、制御部１０８は、検索対象枠の選択が行われたか否かを判定する（ステップＳ２６０）。この判定は、リモコン２の決定キー２０４が押下されたか否かによって判定するものであり、決定キー２０４が押下されたときにカーソルが位置する枠属性の内容が選択された検索対象枠である。この処理において、検索対象枠の選択が行われたと判定すると、制御部１０８は、選択された検索対象枠の情報を設定する（ステップＳ２６２）。
【０１２６】
選択された検索対象枠の情報を設定すると、制御部１０８は、表示用コンテンツの表示処理を行う（ステップＳ２６３）。この表示用コンテンツの表示処理は、上述した図２０におけるステップＳ２４０〜Ｓ２４５までの処理と同様であり、説明は省略する。
【０１２７】
表示用コンテンツの表示処理を終了すると、制御部１０８は、検索モード処理を終了する。
【０１２８】
以上、本発明の実施の形態のうちいくつかを図面に基づいて詳細に説明したが、これらは例示であり、当業者の知識に基づいて種々の変形、改良を施した他の形態で本発明を実施することが可能である。
【０１２９】
例えば、本実施形態においては、コンテンツ属性の内容及び枠属性の内容をそれぞれ手動で設定した後、これらを対応させることとしたが、コンテンツ属性の種別及び枠属性の種別を手動で設定し、コンテンツ属性の内容及び枠属性の内容同士は自動で対応付けられるようにしてもよい。
【０１３０】
また、本実施形態においては、一つのコンテンツ属性の種別に対して一つの枠属性の種別を対応させることとしたが、一つのコンテンツ属性の種別に対して複数の枠属性の種別を対応させることも可能である。例えば、図２６に示すように、コンテンツ属性の種別である「評価」に対して３つの枠属性の種別「色相」、「絵柄」、「背景画像」を選択することもできる。
【図面の簡単な説明】
【０１３１】
【図１】本実施形態における画像表示装置の概略構成図である。
【図２】図１の画像表示装置で表示される画像の例を示す図である。
【図３】本実施形態における画像表示システムの外観図である。
【図４】本実施形態における画像表示装置の構成図である。
【図５】枠属性の例を示す図である。
【図６】装飾枠の例を示す図である。
【図７】コンテンツ属性の例を示す図である。
【図８】画像データの構成を示す図である。
【図９】コンテンツ属性と枠属性との対応関係の例を示す図である。
【図１０】本実施形態におけるリモコンの外観図である。
【図１１】図４の画像表示装置のメイン処理フローチャートである。
【図１２】図４の画像表示装置の分類モード処理フローチャートである。
【図１３】図４の画像表示装置の属性選択処理フローチャートである。
【図１４】コンテンツ属性の種別選択画面である。
【図１５】枠属性の種別選択画面である。
【図１６】図４の画像表示装置のスライドショー処理フローチャートである。
【図１７】枠属性の内容選択画面である。
【図１８】図４の画像表示装置の表示方法選択処理フローチャートである。
【図１９】表示方法選択画面である。
【図２０】図４の画像表示装置の表示用コンテンツの表示処理フローチャートである。
【図２１】表示方法の選択の前後における表示用コンテンツの表示順序を示す図である。
【図２２】図４の画像表示装置の表示用コンテンツの保存処理フローチャートである。
【図２３】保存対象選択画面である。
【図２４】図４の画像表示装置の検索モード処理フローチャートである。
【図２５】検索対象枠選択画面である。
【図２６】コンテンツ属性と枠属性との対応関係の例を示す図である。
【符号の説明】
【０１３２】
Ｓ  画像表示システム
１  画像投影装置
２  リモコン
１０１  操作パネル
１０２  記憶部
１０３  赤外線通信部
１０４  インターフェイス
１０５  映像信号入力回路
１０６  画像処理回路
１０７  投影部
１０８  制御部
【図１】
2008242991.tif 000003
【図２】
2008242991.tif 000004
【図３】
2008242991.tif 000005
【図４】
2008242991.tif 000006
【図５】
2008242991.tif 000007
【図６】
2008242991.tif 000008
【図７】
2008242991.tif 000009
【図８】
2008242991.tif 000010
【図９】
2008242991.tif 000011
【図１０】
2008242991.tif 000012
【図１１】
2008242991.tif 000013
【図１２】
2008242991.tif 000014
【図１３】
2008242991.tif 000015
【図１４】
2008242991.tif 000016
【図１５】
2008242991.tif 000017
【図１６】
2008242991.tif 000018
【図１７】
2008242991.tif 000019
【図１８】
2008242991.tif 000020
【図１９】
2008242991.tif 000021
【図２０】
2008242991.tif 000022
【図２１】
2008242991.tif 000023
【図２２】
2008242991.tif 000024
【図２３】
2008242991.tif 000025
【図２４】
2008242991.tif 000026
【図２５】
2008242991.tif 000027
【図２６】
2008242991.tif 000028